【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
第１の描画処理能力を有し、第１の映像信号を生成可能な第１のグラフィックスチップと、
前記第１の描画処理能力よりも高い第２の描画処理能力を有し、第２の映像信号を生成可能な第２のグラフィックスチップと、
前記第１及び第２の映像信号のいずれかを切り替えて出力可能な出力切替手段と、
前記第１のグラフィックスチップと第２のグラフィックスチップのいずれかを選択するユーザ操作を入力する入力手段と、
前記入力されたユーザ操作に基づいて、前記出力切替手段による切り替えを制御する制御手段と
を具備する情報処理装置。
【請求項２】
請求項１に記載の情報処理装置であって、
前記制御手段は、前記ユーザに選択されなかったグラフィックスチップへの電力供給を停止する
情報処理装置。
【請求項３】
請求項２に記載の情報処理装置であって、
前記制御手段は、
当該情報処理装置の起動イベントを検知する手段と、
前記起動イベントが検知された場合に前記第１及び第２のグラフィックスチップに電力を供給する手段と、
前記入力されたユーザ操作に基づいて、前記ユーザに選択されなかったグラフィックスチップへの電力供給を停止する手段と
を有する情報処理装置。
【請求項４】
請求項３に記載の情報処理装置であって、
前記制御手段は、
当該情報処理装置の再起動イベントを検知する手段と、
前記再起動イベントが検知された場合に前記第１及び第２のグラフィックスチップに電力を供給する手段と、
前記入力されたユーザ操作に基づいて、前記ユーザに選択されなかったグラフィックスチップへの電力供給を停止する手段と
を有する情報処理装置。
【請求項５】
請求項４に記載の情報処理装置であって、
前記制御手段は、当該情報処理装置が起動した状態で、前記入力手段により前記グラフィックスチップの選択が変更された場合に、当該情報処理装置を再起動をユーザに促す画面を表示させるよう制御する
情報処理装置。
【請求項６】
請求項１に記載の情報処理装置であって、
前記制御手段は、前記入力手段によりいずれのグラフィックスチップが選択されているかを報知する報知手段を更に具備する情報処理装置。
【請求項７】
請求項６に記載の情報処理装置であって、
前記報知手段は、いずれのグラフィックスチップが選択されているかをＬＥＤの点灯により報知するＬＥＤ表示部である
情報処理装置。
【請求項８】
請求項１に記載の情報処理装置であって、
当該情報処理装置で発生した熱を放熱するファンを更に具備し、
前記制御手段は、前記入力されたユーザ操作に基づいて、前記第１のグラフィックスチップが選択された場合には前記ファンの回転数を第１の回転数に設定し、前記第２のグラフィックスチップが選択された場合には前記第１の回転数よりも高い第２の回転数に設定する
情報処理装置。
【請求項９】
請求項１に記載の情報処理装置であって、
当該情報処理装置全体の動作を制御するＣＰＵを更に具備し、
前記制御手段は、前記入力されたユーザ操作に基づいて、前記第１のグラフィックスチップが選択された場合には前記ＣＰＵの動作クロック数を第１のクロック数に設定し、前記第２のグラフィックスチップが選択された場合には前記第１のクロック数よりも高い第２のクロック数に設定する手段を有する情報処理装置。
【請求項１０】
請求項１に記載の情報処理装置であって、
当該情報処理装置を省電力状態に移行させる手段を更に具備し、
前記制御手段は、
当該情報処理装置が前記省電力状態に移行する際に前記ユーザによる前記各グラフィックスチップの選択状態に関する情報を記憶し、当該情報処理装置が省電力状態から復帰する場合に、前記記憶された情報に基づいて、前記出力切替手段が、前記省電力状態への移行前に選択されていたグラフィックスチップからの映像信号を出力するよう制御する
情報処理装置。
【請求項１１】
ＡＣアダプタ及びバッテリのいずれかから電力を供給されることで動作可能な情報処理装置であって、
第１の描画処理能力を有し、第１の映像信号を生成可能な第１のグラフィックスチップと、
前記第１の描画処理能力よりも高い第２の描画処理能力を有し、第２の映像信号を生成可能な第２のグラフィックスチップと、
前記第１及び第２の映像信号のいずれかを切り替えて出力可能な出力切替手段と、
当該情報処理装置が前記ＡＣアダプタとバッテリとのいずれから電力を供給されているかを検知する検知手段と、
前記検知結果に基づいて、当該情報処理装置が前記バッテリから電力を供給されている場合には前記出力切替手段が前記第１の映像信号を出力するよう制御し、当該情報処理装置が前記ＡＣアダプタから電力を供給されている場合には前記出力切替手段が前記第２の映像信号を出力するよう制御する制御手段と
を具備する情報処理装置。
【請求項１２】
第１の消費電力を有する第１のグラフィックスチップと、
前記第１の消費電力よりも高い第２の消費電力を有する第２のグラフィックスチップと、
描画処理に用いるグラフィックスチップを選択するユーザ操作を入力する入力手段と、
前記入力手段により前記第１のグラフィックスチップが選択された場合に、前記第２のグラフィックスチップへの電力供給を停止する制御手段と
を具備する情報処理装置。
【請求項１３】
第１の描画処理能力を有する第１のグラフィックスチップから出力される第１の映像信号と、前記第１の描画処理能力よりも高い第２の描画処理能力を有する第２のグラフィックスチップから出力される第２の映像信号とのいずれかを切り替えて出力するステップと、
前記第１のグラフィックスチップと第２のグラフィックスチップのいずれかを選択するユーザ操作を入力するステップと、
前記入力されたユーザ操作に基づいて、前記第１及び第２の映像信号の切り替えを制御するステップと
を具備する情報処理方法。
【請求項１４】
ＡＣアダプタ及びバッテリのいずれかから電力を供給されることで動作可能な情報処理装置が情報を処理する方法であって、
第１の描画処理能力を有する第１のグラフィックスチップから出力される第１の映像信号と、前記第１の描画処理能力よりも高い第２の描画処理能力を有する第２のグラフィックスチップから出力される第２の映像信号とのいずれかを切り替えて出力するステップと、
前記情報処理装置が前記ＡＣアダプタとバッテリとのいずれから電力を供給されているかを検知するステップと、
前記検知結果に基づいて、前記情報処理装置が前記バッテリから電力を供給されている場合には前記第１の映像信号を出力するよう制御し、当該情報処理装置が前記ＡＣアダプタから電力を供給されている場合には前記第２の映像信号を出力するよう制御するステップと
を具備する情報処理方法。
【請求項１５】
情報処理装置に、
第１の描画処理能力を有する第１のグラフィックスチップから出力される第１の映像信号と、前記第１の描画処理能力よりも高い第２の描画処理能力を有する第２のグラフィックスチップから出力される第２の映像信号とのいずれかを切り替えて出力するステップと、
前記第１のグラフィックスチップと第２のグラフィックスチップのいずれかを選択するユーザ操作を入力するステップと、
前記入力されたユーザ操作に基づいて、前記第１及び第２の映像信号の切り替えを制御するステップと
を実行させるためのプログラム。
【請求項１６】
ＡＣアダプタ及びバッテリのいずれかから電力を供給されることで動作可能な情報処理装置に、
第１の描画処理能力を有する第１のグラフィックスチップから出力される第１の映像信号と、前記第１の描画処理能力よりも高い第２の描画処理能力を有する第２のグラフィックスチップから出力される第２の映像信号とのいずれかを切り替えて出力するステップと、
前記情報処理装置が前記ＡＣアダプタとバッテリとのいずれから電力を供給されているかを検知するステップと、
前記検知結果に基づいて、前記情報処理装置が前記バッテリから電力を供給されている場合には前記第１の映像信号を出力するよう制御し、当該情報処理装置が前記ＡＣアダプタから電力を供給されている場合には前記第２の映像信号を出力するよう制御するステップと
を実行させるためのプログラム。
【手続補正２】
【補正対象書類名】明細書
【補正対象項目名】００７６
【補正方法】変更
【補正の内容】
【００７６】
そこで、外部グラフィックスチップ１０に電源供給が行われていない状態で外部グラフィックスチップ１０の端子に電圧が印加されてしまうことを避けるため、システムがリセットされた場合にＥＣ６がこれを検知するための上記リセットトラップ機構が必要となる。システムリセットが解除される前に外部グラフィックスチップ１０に対して電源供給を行い、システムリセットを解除後、チップセット２（ノースブリッジ３）のPCI Expressインターフェースの無効化等の必要な処理が行われた後で外部グラフィックスチップ１０への電源供給を停止する。本来チップセット２により制御されるシステムリセットを、リセットトラップ機構によりシステムリセットのトラップ及び解除をＥＣ６の制御下で行うことが可能であるため、外部グラフィックスチップ１０の電源供給の制御をＥＣ６が行うことにより、システムのリセットの解除を外部グラフィックスチップ１０の電源供給を行った後に行うことが可能となる。
【手続補正３】
【補正対象書類名】明細書
【補正対象項目名】００８６
【補正方法】変更
【補正の内容】
【００８６】
上記ＰＯＳＴ処理の過程で、ＢＩＯＳ２３は、前回の不揮発性メモリ１５に記録されたＯＳの状態を取得する（ステップ３４）。ＯＳの状態の取得により、ＢＩＯＳ２３はＯＳが上記スタンバイや休止状態といった省電力状態であるか否かを判断する（図４のステップ３５）。省電力状態でなかった場合（図４のステップ３５のＮｏ）には、ＢＩＯＳ２３は、ＥＣ６に対して、グラフィックス切替スイッチ７の状態を問い合わせる（ステップ３６）。ＥＣ６は、当該問い合わせに対して、グラフィックス切替スイッチ７の状態を取得してＢＩＯＳ２３へ返答する（ステップ３７）。そしてＢＩＯＳ２３は、当該返答結果に基づいて、選択されているグラフィックスチップが何れであるかを判断し（ステップ３９）、選択されているのが外部グラフィックスチップ１０であった場合には内蔵グラフィックスチップの無効化処理を行い（ステップ４０）、選択されているのが内蔵グラフィックスチップ５であった場合には外部グラフィックスチップ１０の無効化処理を行う（ステップ４１）。なお、上記ステップ３５においてＯＳが省電力状態であった場合（ステップ３５のＹｅｓ）には、ＢＩＯＳ２３は省電力状態への移行前に選択されたグラフィックスチップに関する情報を不揮発性メモリ１５から取得し（ステップ３８）、ステップ３９へ進む。選択されていないグラフィックスチップの無効化処理が終わると、ＢＩＯＳ２３は選択されたグラフィックスチップに関する情報を不揮発性メモリ１５へ格納し（ステップ４２）、選択されたグラフィックスチップをＥＣ６へ通知する（ステップ４３）。
【手続補正４】
【補正対象書類名】明細書
【補正対象項目名】００８７
【補正方法】変更
【補正の内容】
【００８７】
通知を受けたＥＣ６は、グラフィックス選択表示ＬＥＤ８に、選択されたグラフィックスチップに応じたＬＥＤを点灯させる（ステップ４４）。続いてＥＣ６は、選択されているグラフィックスチップを判断し（ステップ４５）、内蔵グラフィックスチップが選択されている場合には映像切替信号を内蔵グラフィックスチップ側に設定してスイッチＩＣ１２へ出力する（ステップ４６）。
【手続補正５】
【補正対象書類名】明細書
【補正対象項目名】００８８
【補正方法】変更
【補正の内容】
【００８８】
続いてＢＩＯＳ２３は、選択されたグラフィックスチップの初期化を行う（ステップ４７）。そしてＢＩＯＳ２３は選択されたグラフィックスチップを再度判断し（図４のステップ４８、図５の（６））、内蔵グラフィックスチップ５が選択されている場合には、ＥＣ６に対して外部グラフィックスチップ電源ＯＦＦを通知する（ステップ４９）。そして、通知を受けたＥＣ６は、外部グラフィックスチップ１０の電源をＯＦＦにする（図４のステップ５０、図５の（７））。外部グラフィックスチップが選択されている場合には常に外部グラフィックスチップ１０の電源はＯＮとなっている。以上で起動時のグラフィックスチップの選択処理が終了する。
【手続補正６】
【補正対象書類名】明細書
【補正対象項目名】００９６
【補正方法】変更
【補正の内容】
【００９６】
上述の実施形態においては、ユーザはバッテリ持続時間とパフォーマンスの何れかを優先するかに応じて内蔵グラフィックスチップ５と外部グラフィックスチップ１０を切り替えることができるが、この優先事項以外の事項に応じてもグラフィックスチップを切り替えることが可能である。上述したように、上記外部グラフィックスチップ１０は高い描画性能を有する反面、消費電力が高く、発熱量も大きいため、当該外部グラフィックスチップ１０を用いて描画処理を行う場合には、ファン１４の回転数も大きくなり、それによる騒音も大きくなる傾向にある。そこで、ＥＣ６は、消費電力が低い内蔵グラフィックスチップ５を用いて描画処理を行う場合には、当該ファン１４の回転数を下げることによって、静音性を高めることができる。すなわち、静音性を重視するか否かによってグラフィックスチップを切り替えることが可能となる。
【手続補正７】
【補正対象書類名】図面
【補正対象項目名】図４
【補正方法】変更
【補正の内容】
【図４】
2007179225.tif 000001